(57)【特許請求の範囲】
【請求項１】
パッケージに使用するラッパーであって、このラッパーはフィルムを含み、このフィルムは、ラッパーの遠位端部を形成する該フィルムの対向する側部に第１および第２の縁部を有し、および第１と第２の縁部の間でフィルムの対向する側部に第３と第４の縁部を有し、開封帯が第１と第２の縁部の間でフィルムを横断して延び、タブ部分が開封帯の端部に設けられ、この開封帯は両側の２つの補強開封テープによって画定され、開封テープはそれぞれタブの位置に第１の互いに離れた端部を有し、２つの開封テープはタブから延び、互いに分岐し、開封帯の幅がその長さの少なくとも一部に沿って拡大し、開封テープはそれぞれ第２の離れた端部を有し、それらはお互いに離れて配置され、タブからも離れて配置され、前記タブが第１縁部に設けられ、各々の第２の離れた端部がフィルムの第２縁部に位置するように、２つの開封テープは第１縁部から第２縁部までフィルム全体を横断して延びるラッパー。
【請求項２】
前記開封テープがその長さに沿って互いに常に分岐していることを特徴とする請求項１に記載のラッパー。
【請求項３】
前記開封テープがその長さの一部に沿って互いに分岐し、その長さの一部に沿って互いに平行に延びていることを特徴とする請求項１に記載のラッパー。
【請求項４】
請求項１乃至３いずれか１項に記載のラッパーによって包装された容器を含むパッケージであって、前記フィルムの第１および第２縁部が、該フィルムの末端縁部からなり、前記フィルムの第１および第２縁部は、重なり、互いに封止され、前記開封帯が容器の周囲で延び、前記ラッパーは、タブを引っ張ることでフィルムの破断が進み、容器から開封帯が外れ、開封帯に接着された容器からフィルム全体が取り外されるように構成され、前記２つの開封テープはタブから延び、容器の周囲の少なくとも一部で互いに対して分岐し、これによって開封帯の幅は容器の外周の少なくとも一部の周囲で大きくなるパッケージ。
【請求項５】
前記開封テープの第１および第２の互いに離れた端部が容器の同じ面に位置することを特徴とする請求項４に記載のパッケージ。
【請求項６】
前記タブ部分が、前記開封テープの第２の離れた端部それぞれから等間隔で配置されていることを特徴とする請求項４または５に記載のパッケージ。
【請求項７】
タバコ製品および／または紙巻きタバコパッケージを含むことを特徴とする請求項４乃至６いずれか１項に記載のパッケージ。
【発明の詳細な説明】
【技術分野】
【０００１】
本発明はパッケージ、特に、パッケージ用ラッパー及びラッパーを含むパッケージに関する。
【背景技術】
【０００２】
パッケージを開封する際に最初に取りはずされる封止された外装ラッパーを含むパッケージが知られている。このようなラッパーは開封帯を含んでもよく、この開封帯はラッパーを取り外しやすくし、およびラッパーを２つに分離し、その内の少なくとも一つはパックから取り外される。開封帯は分離したラッパーの一方の部分に付着したまま残ってもよく、これによってこの部分を取り外して、パックの一部分上に、分離したラッパーのもう一方の部分を残すことができる。
【発明の概要】
【発明が解決しようとする課題】
【０００３】
本発明の実施態様ではラッパーによって包装された容器を含むパッケージが供され、このラッパーは、互いに封止された重なり部分を有するフィルムを含み、さらに容器の周囲で少なくとも部分的に延び、端部タブを有する開封帯を含み、このラッパーは、タブを引っ張ることでフィルムの破断が進み、容器から開封帯が外れ、開封帯が接着された容器からフィルム全体が取り外されるように構成され、この開封帯はその両側にある２つの補強開封テープで画定され、開封テープはそれぞれタブの位置に第１の互いに離れた端部を有し、これら２つの開封テープはタブから延び、容器の周囲の少なくとも一部で互いに対して分岐し、これによって開封帯の幅は容器の外周の少なくとも一部の周囲で大きくなり、これら開封テープは、タブから離れて位置し、互いに離れた第２端部を有する。
【０００４】
開封帯は重なり部分のフィルムの縁部から延びてもよく、タブ部分はフィルムの縁部に設けられてもよい。  
【０００５】
開封テープの第１および第２の互いに離れた端部は容器の同じ面にあってもよく、あるいは容器の異なる面にあってもよい。
【０００６】
タブ部分は開封テープの第２の離れた端部それぞれから等間隔で配置されてもよい。
【０００７】
開封テープはその長さに沿って互いに対して常に分岐してもよく、あるいはその長さの一部に沿って互いに分岐してもよく、およびその長さの一部に沿って互いに平行に延びてもよい。
【０００８】
パッケージはタバコ製品および／または紙巻きタバコパッケージを含んでもよい。
【０００９】
また本発明は上述したパッケージに使用するためのラッパーを提供し、そのラッパーはフィルムを含み、このフィルムはその対向する側部に第１および第２の縁部および第１と第２の縁部の間でフィルムの対向する側部に第３と第４の縁部を有し、開封帯が第１と第２の縁部の間でフィルムの少なくとも一部を横断して延び、タブ部分が開封帯の端部に設けられ、この開封帯は両側の２つの補強開封テープによって画定され、開封テープはそれぞれタブの位置に第１の互いに離れた端部を有し、２つの開封テープはタブから延び、互いに分岐し、開封帯の幅がその長さの少なくとも一部に沿って拡大し、開封テープはそれぞれ第２の離れた端部を有し、それらはお互いに離れて配置され、タブからも離れて配置される。
【００１０】
タブは第１縁部に設けられてもよく、各々の第２の離れた端部がフィルムの第２縁部に位置するように、開封テープはフィルムを横断して延びてもよい。あるいは、タブは第１縁部に設けられてもよく、各々の第２の離れた端部がフィルムの第２縁部まで到達せず、第２縁部から離れて位置するように、開封テープはフィルムを横断して延びてもよい。
【００１１】
開封テープはその長さに沿って互いに常に分岐してもよく、あるいはその長さの一部に沿って互いに分岐してもよく、およびその長さの一部に沿って互いに平行に延びてもよい。
【図面の簡単な説明】
【００１２】
本発明の実施態様を添付図面を参照してあくまでも例示を目的として説明する。
【００１３】
【図１】本発明の第１の実施態様のラッパーを含むパックであって、一部包装されていないパックを示す。
【図２】平らに置かれた本発明の第２の実施態様のラッパーを示す。
【図３】平らに置かれた本発明の第３の実施態様のラッパーを示す。
【発明を実施するための形態】
【００１４】
図１は本発明の第１の実施態様のラッパー８０を有するパック１を示す。ラッパー８０はフィルム８１を有し、喫煙品のパック１の周りを完全に包装する。フィルム８１の対向する第１および第２の側部は、パック１の一側壁２で重なり、互いに熱によってシールされる。ラッパー８０はパック１の外周に延びた開封帯８２を有する。この開封帯８２は、その上方および下方縁部で２つの補強開封テープ８３ａ、８３ｂで画定され、これらの開封テープはフィルム８１に恒久的に接着され、フィルム８１とパック１の間に配置される。各開封テープ８３ａ、８３ｂは第１の互いに離れた端部８４ａ、８４ｂを含み、第１の離れた端部８４ａ、８４ｂは、パック１の側壁２にあるフィルム８１の縁部で、開封帯８２の端部８５で合わさる。２つの開封テープ８３ａ、８３ｂは、開封帯８２の端部８５から分岐し、パックの前面を横断し、その後、パックの上部および底部においてお互いに平行に延伸しながら、パックの側面、背面、反対側の側面を横断し、開封帯８２の端部８５が位置する縁部と反対のフィルム８１の縁部にある第２の離れた端部８６ａ、８６ｂのところでそれぞれ終わる。包装されたパック１上で、開封される前に、開封テープの第２の離れた端部８６ａ、８６ｂはお互いに離れて配置され、かつ、開封テープの第１の離れた端部８４ａ、８４ｂからも離れて配置される。また開封テープの第１の離れた端部８４ａ、８４ｂおよび第２の離れた端部８６ａ、８６ｂはパック１の同じ側壁２に配置される。
【００１５】
パック１からラッパー８０を取りはずすために、ユーザーは開封帯８２の端部８５を矢印Ｂの方向に引っ張り、フィルム８１を破断することによって開封テープ８３ａ、８３ｂに沿ってパック１の周りからその端部は切り離され、フィルム８１は上方部分８１ａと下方部分８１ｂに分けられる。開封帯８２がパック１の前面のもう一方の側に到達した時、それはパック１の高さ全体に延び、その後、パック１の側面、背面および反対側の側面を横断し、最後にはフィルム８１の上方部分８１ａおよび下方部分８１ｂが開封帯８２と共にパック１から取り外される。よってフィルム８１全体が、１度の開封工程で取り外しが可能である。
【００１６】
上述の第１の実施態様では、開封帯８２の開封テープ８３ａ、８３ｂは、最初は互いに分岐しているが、パック１の一部の周囲で互いに平行に延びている。しかしながら、本発明はこの構成に限定するものではなく、別の構成も本発明の範囲内に含むことを意図している。本発明の第２の実施態様の別のラッパー９０をパックの周囲を包装する前の平らなシートとして図２に示す。本開示では、ラッパー９０は開封帯９２を有するフィルム９１で構成され、その開封帯９２はフィルム９１に恒久的に接着されている２つの補強開封テープ９３ａ、９３ｂによって画定されている。第１の実施態様と同様に、各開封テープ９３ａ、９３ｂは、第１の互いに離れた端部９４ａ、９４ｂを含み、それらは、フィルム９１の縁部にある開封帯９２の端部あるいはタブ部分９５で合わさり、パック１の周囲を包装する際、図１に示すようにパック１の側壁２に配置される。第２の実施態様においては、開封帯９２の端部９５から２つの開封テープ９３ａ、９３ｂが分岐し、開封帯９２の端部９５が位置する縁部と反対側のフィルム９１の縁部にある各々の第２の離れた端部９６ａ、９６ｂまで、各長さに沿って互いに分岐し続ける点が異なる。つまり、開封テープ９３ａ、９３ｂはパック１の前面、側面、背面及び反対側の側面を横断して互いに分岐する。しかしながら、第１の実施態様と同様に、包装されたパック１上で、開封される前に、開封テープの第２の離れた端部９６ａ、９６ｂはお互いに離れて配置され、開封テープの第１の離れた端部９４ａ、９４ｂからも離れて配置される。さらに、開封テープの第１の離れた端部９４ａ、９４ｂおよび第２の離れた端部９６ａ、９６ｂは、パック１の同じ側壁２に配置される。
【００１７】
図２で示すように、開封テープ９３ａ、９３ｂはパック１の周囲を包装する前の平らな状態ではフィルム９１上で直線である。これによって、ラッパー９０の製造や包装工程及び装置により、包装されたパック１をより簡単に作製することができる。また当然のことながら、製造工程において、フィルム９１は、別々のボビンからフィルム９１上に形成される２つの開封テープ９３ａ、９３ｂと一緒に単体の連続した帯として供されてもよく、図２に示したように個別のシートに切断されたフィルムとして供されてもよい。
【００１８】
上述した第１および第２の実施態様において、開封テープの第２の離れた端部８６ａ、８６ｂ、９６ａ、９６ｂはフィルム８１、９１の縁部で終了する。しかしながら、本発明はこの構成に限定するものではなく、別の構成も本発明の範囲内に含むことを意図している。本発明の第３の実施態様の別のラッパー１００をパックの周囲を包装する前の平らなシートとして図３に示す。本開示で、ラッパー１００は、第２の実施態様であるラッパー９０と同様に、開封帯１０２を有するフィルム１０１で構成され、開封帯１０２はフィルム１０１に恒久的に接着されている２つの補強開封テープ１０３ａ、１０３ｂによって画定されている。各開封テープ１０３ａ、１０３ｂは、第１の互いに離れた端部１０４ａ、１０４ｂを含み、それらはフィルム１０１の縁部にある開封帯１０２の端部１０５で合わさり、パック１の周囲を包装する際、それらは図１に示すようにパック１の側壁２に配される。第２の実施態様と同様に、第３の実施態様の開封テープ１０３ａ、１０３ｂは、開封帯１０２の端部１０５から分岐し、各々の第２の離れた端部１０６ａ、１０６ｂまで、各長さに沿って互いに分岐し続ける。しかしながら、開封テープ１０３ａ、１０３ｂの第２の離れた端部１０６ａ、１０６ｂが開封帯１０２の端部１０５が位置する縁部と反対側のフィルム１０１の縁部で終わらず、前記フィルム１０１の反対側の縁部までいかないところで終わる点で、第３の実施態様は第２の実施態様とは異なる。第２の離れた端部１０６ａ、１０６ｂの終点からフィルムの縁部までの距離は図３の「ｄ」で表す。よって、包装されたパック１上で、開封される前に、開封テープの第２の離れた端部１０６ａ、１０６ｂはお互いに離れて配置され、開封テープの第１の離れた端部１０４ａ、１０４ｂからも離れて配置されるが、第１および第２の実施態様とは異なり、第１の離れた端部１０４ａ、１０４ｂおよび第２の離れた端部１０６ａ、１０６ｂはパック１の同じ側壁２に配置されず、代わりに開封テープの第２の離れた端部１０６ａ、１０６ｂは、例えば、パックの背面に配置されてもよい。さらに、ラッパー１００の上方及び下方部分は、確実に開封帯１０２から分離されず開封帯１０２に残るので、ラッパー１００全体は開封帯１０２を１度引っ張れば確実に取り除かれる。
【００１９】
図３で示すように、開封テープ１０３ａ、１０３ｂはパック１の周囲に包装される前の平らな状態ではフィルム１０１上で直線である。これによって、ラッパー１００の製造や包装工程及び装置で、包装されたパック１をより簡単に作製することができる。また製造工程において、フィルム１０１を単体の連続したストリップとして提供し、２つの開封テープ１０３ａ、１０３ｂを別個の移動ボビンまたは移動供給アームからフィルム１０１に供給し、フィルムが図３に示すように個別のシートに切断されるので、開封テープ１０３ａ、１０３ｂの第２の離れた端部１０６ａ、１０６ｂとフィルムの縁部の間に距離「ｄ」を設けることで、フィルム１０１が開封テープ１０３ａ、１０３ｂがフィルム１０１上に供給される場所を通り連続したストリップとして搬送されるので、次のラッパー１００のためのスタートポジションに開封テープ供給ボビンあるいは供給アームを戻してリセットする時間が製造装置に与えることができる。
【００２０】
上述した本発明の実施態様は、喫煙品の単体パックのためのラッパーに関連づけて図示し、説明したが、本発明のラッパーは、別の構成のパッケージ外装として、例えば、「むきだし」あるいはカートンの形で喫煙品の１０あるいは２０の複数のパックを束として包装するものや、缶または他の容器、スヌース容器のようなものにも使用であることを意図している。さらに、本発明のラッパーで包装されるような容器は、必ずしも平行六面体の形状である必要はなく、他の形状、例えば円筒形状の容器であってもよい。本発明の種々の実施態様が、喫煙品用パックのラッパーあるいは外装ラッパーの種々の実施態様を有する喫煙品用パッケージとして図示され記載されている。しかしながら、本発明はこのような利用に限定されるのではなく、当然のことながら本発明は、タバコ産業用途以外のあらゆるラッパーやパッケージに等しく適用可能である。
【００２１】
上述の実施態様において、ラッパーは、ラッパーの重なり部分の継ぎ目に沿って熱シールされている旨、記載されている。しかしながら、本発明はこのような接着方法に限定されるものではなく、接着剤あるいはその他の接着手段のような別の方法も本発明の範囲以内であることを意図している。さらに、上述のいくつかの実施態様は配向フィルムを含み、本開示の本発明の全ての実施態様のラッパーに使用されているフィルムとして使用してもよいし、これらのフィルムは、包装されたパックの全周に延伸する開封テープがないラッパー、あるいは開封テープの縁部に直接隣接する場所以外の場所で破断するラッパーに特に好適であるかもしれない。
【００２２】
上述の実施態様では開封テープはそれぞれのフィルムに接着されるものとして記載されているが、本発明はこのような構造に限定されるのではなく、かわりに開封テープは各々のフィルムに熱シールされてもよく、あるいは、フィルムにシールする他の手段を含んでもよい。加えて、上述の多くの実施態様において、パックに包装される際に、開封テープはラッパーの内面に設けられると記載されているが、開封テープはそれぞれのラッパーの外面に等しく設けてもよい。
【００２３】
上述の本発明のフィルム及びラッパーの開封帯／開封テープは種々の材料から製造されてもよく、この材料には、ポリプロピレン、ポリビニルクロライド（ＰＶＣ）、セルロースアセテートフィルム、ポリエチレンテレフタレート（ＰＥＴ）、ポリエチレンオキシド（ＰＥＯＸ）、ポリエチレン、セロファン、Natureflex（商標）あるいはポリ乳酸（ＰＬＡ）が含まれるが、これらには限定されない。さらにこのような材料の組合せは、フィルム／開封帯／開封ラベルなどそれぞれに使用してもよい。加えて、ラッパーに使用されるフィルムおよび／または開封帯／開封テープの材料は約２００ミクロンから約４ミクロンの間の厚さであってもよい。
【００２４】
本開示で用いられる「喫煙品」なる用語は、タバコ、タバコ派生物、膨張タバコ、再生タバコまたはタバコ代替品のいずれを基礎材料としているかにかかわらず、紙巻きタバコ、葉巻タバコ、シガリロ等の喫煙することができる製品、並びに非燃焼加熱製品を含む。喫煙品は喫煙者によって吸引される気体流のためのフィルターと共に供されてもよい。
【００２５】
タバコ産業製品とはタバコ産業界において生産され、あるいは販売されているあらゆる商品を意味し、一般にａ）紙巻きタバコ、シガリロ、葉巻タバコ、パイプ用あるいは手巻きタバコ用のタバコ（タバコ、タバコ派生物、膨張タバコ、再生タバコまたはタバコ代替品のいずれを基礎材料としているかにかかわらず）、ｂ）タバコ、タバコ派生物、膨張タバコ、再生タバコ及び嗅ぎタバコ、スヌース、ハードタバコのようなタバコ代替品を含む非喫煙品および非燃焼加熱製品、およびｃ）吸入器、錠剤及びガムのようなその他のニコチン摂取を目的とする商品が含まれる。この一覧は排他的なものではなく単にタバコ産業界で製造販売される製品の範囲を説明したものにすぎない。
【００２６】
種々の問題に対処し本技術を促進するため、本開示の全体は、特許請求の範囲に記載された発明が実施できるよう、及びこの発明をもとにより高度なパッケージ用ラッパーを提供できるように（？）様々な実施態様を図によって示している。本開示の利点及び特徴は、実施態様の代表的事例にしかすぎず、包括的および／または排他的なものではない。これらは、特許請求の範囲に記載された特徴の理解を助け、教示するために提示されているにすぎない。当然のことながら、これらは特許請求の範囲に記載された全ての発明を代表するものではない。よって、本開示の特定の態様は、本明細書中で説明されていない。別の態様が本発明の特定の部分のために存在するものではないということ、あるいはさらなる説明されていない別の態様が一部において利用可能であるということは、これらの別の態様を放棄するものと考えるものではない。また当然のことだが、これら説明されていない態様の多くは、本発明の同じ原理を包含し、それ以外のものは本発明と同等である。従って、その他の態様も利用可能であり、本開示の範囲および／または概念から逸脱することなく改変も可能である。このように全ての例、実施例および／または実施態様は、本開示をとおして限定的なものではないとみなされる。また、記載が長くならないようにあるいは繰り返しを避けるという目的以外でここで説明されていない実施態様に対して、ここで説明された実施態様に関してのいかなる推論もすべきではない。種々の実施態様は、開示された要素、構成要素、特徴、特徴、部品、工程、手段等の種々の組み合わせを好適に含んでも、それらで構成されても、または本質的にそれらで構成されてもよい。開示された特徴、要素、構成要素等のいくつかは、これらが同時に１つの実施態様に存在し得ないことから互いに矛盾する場合もある。同時に、いくつかの特徴は、本開示の１つの実施態様に適用可能であるが、他の態様に適用できないこともある。されに、本開示は現時点で特許請求の範囲とされていない他の発明も含むものである。本願出願人は、これら現時点で特許請求の範囲とされていない発明を特許請求の範囲に記載すること、これらの発明の追加出願、継続出願、一部継続出願、分割出願および／またはこれらに類することを実施する権利を含む全ての権利を留保する。従って、当然のことだが本開示の利点、実施態様、実施例、機能、特徴、構造および／またはその他の実施態様は、特許請求の範囲またはそれと同等のものと限定することによって規定されるので、本開示を限定するものとして考慮すべきではない。
【図１】
0005936712.tif 000002
【図２】
0005936712.tif 000003
【図３】
0005936712.tif 000004